(57)【特許請求の範囲】
【請求項１】
上部ドアフレームと接する自動ドアの固定扉の上端部と、左側ドアフレームと接する固定扉の一側端部に組み立てられる第１の気密用フレームと、
前記固定扉の下端部及び他側端部をはじめ、開閉駆動手段と連結される自動ドアの開閉扉の上端部をはじめ開閉扉の下端部及び両側端部に組み立てられる第２の気密用フレームと、
前記開閉扉の下端部に取り付けられた第２の気密用フレームの下端部が開閉方向に沿ってスライディング可能に挿入されるよう第２の気密用フレームの下端部と相対する底面に埋設される第１の気密保持体と、
前記開閉扉の閉鎖面である他側端部が挿入されるよう開閉扉の他側端部と相対する右側ドアフレームに取り付けられる第２の気密保持体と、
前記固定扉の他側端部に組み立てられた第２の気密用フレームと前記開閉扉の一側端部に組み立てられた第２の気密用フレームに仕上げ組み立てられる第３の気密保持体と、
を有し、
前記第１の気密保持体は、開閉扉の下端部に取り付けられた第２の気密フレーム突出端内に嵌められる連結フレームと、
両側内面に第１の結合溝が形成され、底面の中央には、第１の結合突起が一体に形成された構造に備えられて第２の気密用フレームの下端部と相対する底面に埋設される底埋設体と、
底面に底埋設体の第１の結合突起内に嵌合される第２の結合突起が一体に突出形成され、両側の外面には、第２の結合溝が形成された第１の蓋体と、
前記底埋設体の第１の結合溝と前記第１の蓋体の第２の結合溝にそれぞれ嵌められて、前記連結フレームの両面に密着される第１及び第２の気密用シーリングと、
を有することを特徴とする自動ドア及び半自動ドア用窓装置。
【請求項２】
前記第１の気密用フレームは、
一側下端部に固定扉の一側モールディング材に嵌められる嵌め端が一体に形成され、他側内面に嵌め溝が形成された外板と、
一端部に外板の嵌め溝に嵌められる締結脚が形成され、他端部には、固定扉の他側モールディング材に嵌められる締結突起が形成された締結クリップと、
を有することを特徴とする請求項１に記載の自動ドア及び半自動ドア用窓装置。
【請求項３】
前記第２の気密用フレームは、
四角断面状であって、一端部の一方に固定扉または開閉扉の一側モールディング材に嵌められる嵌め端が一体に形成され、他方には嵌め端が形成され、他端部には締結溝を有する突出端が一体に形成された中空フレームと、
一端部に中空フレームの嵌め溝に嵌められる締結脚が形成され、他端部には固定扉の他側モールディング材に嵌められる締結突起が形成された締結クリップと、を有することを特徴とする請求項１に記載の自動ドア及び半自動ドア用窓装置。
【請求項４】
前記第２の気密保持体は、両方の壁面に第３の結合溝が形成され、底面に第３の結合突起が突出形成された構造であって、右側ドアフレームの内壁面に一体に形成される壁面埋設体と、
底面に壁面埋設体の第３の結合突起内に嵌合される第４の結合突起が一体に突出形成され、両側外面には、第４の結合溝が形成された第２の蓋体と、
前記壁面埋設体の第３の結合溝と前記第２の蓋体の第４の結合溝にそれぞれ嵌められて、前記開閉扉の閉鎖面である他側端部に取り付けられた第２の気密用フレームの突出端の両面に密着される第３及び第４の気密用シーリングと、
を有することを特徴とする請求項１に記載の自動ドア及び半自動ドア用窓装置。
【請求項５】
前記第３の気密保持体は、
開閉扉の一端部に取り付けられた第２の気密用フレームの突出端の締結溝に挿入締結されるよう内方面に第１の挿入締結端が一体に形成された蓋型構造に備えられ、固定扉に向かう面には固定扉に取り付けられた第２の気密用フレームに密着される第５の気密用シーリングが取り付けられた第１の蓋型構造物と、
固定扉の他端部に取り付けられた第２の気密用フレームの突出端の締結溝に挿入締結されるよう第２の挿入締結端が一体に形成され、開閉扉に向かう面には開閉扉に取り付けられた第２の気密用フレームに密着される第６の気密用シーリングが取り付けられる第２の蓋型構造物と、
を有することを特徴とする請求項１に記載の自動ドア及び半自動ドア用窓装置。
【請求項６】
前記底埋設体が底面に完全に埋設されていない場合、底埋設体の外壁面には内部から外部へ傾斜された中空型の傾斜板が一体に組み立てられ、底埋設体の第１の結合突起及び外壁面をはじめ傾斜板には排水孔が形成されることを特徴とする請求項１に記載の自動ドア及び半自動ドア用窓装置。
【請求項７】
前記開閉扉が両開き構造に適用された場合、第１の開閉扉の第２の開閉扉と当接する面に第７の気密用シーリングが取り付けられ、第２の開閉扉の第１の開閉扉と当接する面には第８の気密用シーリングが取り付けられ、第７及び第８の気密用シーリングは交互に配列されることを特徴とする請求項１に記載の自動ドア及び半自動ドア用窓装置。
【発明の詳細な説明】
【技術分野】
【０００１】
本発明は、自動ドア及び半自動ドア用窓装置に関し、より詳しくは、自動ドア及び半自動ドアの離脱防止機能をはじめ、室内及び室外間の気密保持機能を実現できる自動ドア及び半自動ドアの窓装置に関する。
【背景技術】
【０００２】
通常、自動ドアまたは半自動ドアは、出入りの際に自動的に開閉されて出入りの利便性を提供する一種の便宜装置であって、油圧手段、電動手段、空圧手段など様々な駆動手段を用いる方式が採用されている。
【０００３】
自動ドア及び半自動ドア開閉駆動装置は、出入りを感知するセンシング手段と、該センシング手段の信号を受けてモータの駆動を制御するコントローラと、該コントローラの制御信号に応じて駆動するモータと、該モータの駆動によって左右にスライディングされ開閉される自動ドアの速度を減速位置で減速させる減速機などを備えている。
【０００４】
通常、自動ドア及び半自動ドア（以下、「自動ドア」と称する。）は、ドアフレームに固設される固定ドアと、該固定扉に対して左右にスライディングされ開閉される開閉扉で構成されており、ドアフレームの上方に設けられる開閉駆動装置の駆動手段（油圧手段、電動手段、空圧手段など）と開閉ドアの上端部は動力伝達可能に連結されている。
【０００５】
また、前記開閉扉の上端部は、開閉駆動装置の駆動手段と連結され、ハンガー式にぶら下がっている状態になり、開閉扉の下端部には、底に敷かれたレールにローリングされるローラーが取り付けられた状態となる。
【０００６】
したがって、前記開閉駆動手段の駆動によって開閉扉が左右にスライディングされ、開閉移動されると同時に開閉扉の下端部に取り付けられたローラーがレールに沿ってローリング運動をすることによって、自動ドアの開閉動作が行なわれる。
【発明の開示】
【発明が解決しようとする課題】
【０００７】
しかし、従来の自動ドアは、次のような欠点がある。
【０００８】
従来の自動ドアには、別途の気密保持構造が備えられていないので、自動ドアの固定扉と開閉扉との間の隙間、そして開閉扉とレールとの間の隙間を介して外風及び雨水が容易に浸透して気密性及び排水性が劣る問題があった。
【０００９】
特に、自動ドアの開閉扉上端部とドアフレーム間の隙間、開閉扉の下端部とレール間の隙間を介して外風及び外部騒音が容易に流入される短所があり、また店舗の自動ドアのように室外と直に接して設けられる自動ドアの場合、室内から室外への排水構造がなく、室内へ流入された雨水などが直ぐに排水できないなどの短所がある。
【００１０】
また、従来の自動ドアに設けられた開閉扉において、その上端部は開閉駆動装置に連結されることによりぶら下がっている状態だが、開閉扉の下端部は自由端になってレールに沿って単純移送されるにつれて外風によってよく揺れたり、一定の衝撃によってレールから離脱したりするといった問題点がある。
【課題を解決するための手段】
【００１１】
本発明は、上記のような点を勘案して案出されたものであって、自動ドアの上端部及び下端部、そして両側端部に気密用フレームを取外し可能に組み立て、自動ドアの開閉扉下端部と接する底面に気密用フレームが気密可能に挿入されてスライディングされる気密構造体を埋設して、室内および室外間の隙間を無くすことによって外風及び騒音などを遮断する気密性を向上させることができ、開閉扉の揺れや離脱を防止できるようにした自動ドア及び半自動ドア用窓装置を提供することができる。
【００１２】
上記の課題を解決するために、本発明は、上部ドアフレームと接する自動ドアの 固定扉上端部と、左側ドアフレームと接する固定扉の一側端部に組み立てられる第１の気密用フレームと、前記固定扉の下端部及び他側端部をはじめ、開閉駆動手段と連結される自動ドアの開閉扉上端部をはじめ開閉扉の下端部及び両側端部に組み立てられる第２の気密用フレームと、前記開閉扉の下端部に取り付けられた第２の気密用フレームの下端部が開閉方向に沿ってスライディング可能に挿入されるよう第２の気密用フレームの下端部と相対する底面に埋設される第１の気密保持体と、前記開閉扉の閉鎖面である他側端部が挿入されるよう開閉扉の他側端部と相対する右側ドアフレームに取り付けられる第２の気密保持体と、前記固定扉の他側端部に組み立てられた第２の気密用フレームと前記開閉扉の一側端部に組み立てられた第２の気密用フレームに仕上げ組み立てられる第３の気密保持体と、を有することを特徴とする自動ドア及び半自動ドア用窓装置を提供する。
【００１３】
本発明に係る前記第１の気密用フレームは、一側下端部に固定扉の一側モールディング材に嵌められる嵌め端が一体に形成され、他側内面に嵌め溝が形成された外板と、一端部に外板の嵌め溝に嵌められる締結脚が形成され、他端部には固定扉の他側モールディング材に嵌められる締結突起が形成された締結クリップと、を有することを特徴とする。 
【００１４】
本発明に係る第２の気密用フレームは、四角端面形状であって、一端部の一方に固定扉または開閉扉の一側モールディング材に嵌められる嵌め端が一体に形成され、他方には嵌め溝が形成され、他端部には、締結溝を有する突出端が一体に形成された中空フレームと、一端部に中空フレームの嵌め溝に嵌められる締結脚が形成され、他端部には固定扉の他側モールディング材に嵌められる締結突起が形成された締結クリップと、を有することを特徴とする。
【００１５】
本発明に係る第１の気密保持体は、開閉扉の下端部に取り付けられた第２の気密用フレームの突出端内に嵌められる連結フレームと、両側内面に第１の結合溝が形成され、底面の中央には第１の結合突起が一体に形成された構造に備えられて第２の気密用フレームの下端部と相対する底面に埋設される底埋設体と、底面に底埋設体の第１の結合突起内に嵌合される第２の結合突起が一体に突出形成され、両側の外面には第２の結合溝が形成された第１の蓋体と、前記底埋設体の第１の結合溝と前記第１の蓋体の第２の結合溝にそれぞれ嵌められて、前記連結フレームの両面に密着される第１及び第２の気密用シーリングと、を有することを特徴とする。
【００１６】
本発明に係る第２の気密保持体は、両方の壁面に第３の結合溝が形成され、底面に第３の結合突起が突出形成された構造であって、右側ドアフレームの内壁面に一体に形成される壁面埋設体と、底面の壁面埋設体の第３の結合突起内に嵌合される第４の結合突起が一体に突出形成され、両側外面には第４の結合溝が形成された第２の蓋体と、前記壁面埋設体の第３の結合溝と前記第２の蓋体の第４の結合溝にそれぞれ嵌められて、前記開閉扉の閉鎖面である他側端部に取り付けられた第２の気密用フレームの突出端の両面に密着される第３及び第４の気密用シーリングと、を有することを特徴とする。
【００１７】
本発明に係る第３の気密保持体は、開閉扉の一端部に取り付けられた第２の気密用フレームの突出端の締結溝に挿入締結されるよう内方面に第１の挿入締結端が一体に形成された蓋型構造に備えられ、固定扉に向かう面には固定扉に取り付けられた第２の気密用フレームに密着される第５の気密用シーリングが取り付けられた第１の蓋型構造物と、固定扉の他端部に取り付けられた第２の気密用フレームの突出端の締結溝に挿入締結されるよう第２の挿入締結端が一体に形成され、開閉扉に向かう面には開閉扉に取り付けられた第２の気密用フレームに密着される第６の気密用シーリングが取り付けられる第２の蓋型構造物と、を有することを特徴とする。
【００１８】
本発明の好ましい実施形態として、前記底埋設体が底面に完全に埋設されていない場合、底埋設体の外壁面には内部から外部へ傾斜された中空型の傾斜板が一体に組み立てられ、底埋設体の第１の結合突起及び外壁面をはじめ、傾斜板には排水孔が形成されることを特徴とする。
【００１９】
また、本発明の好ましい実施形態として、前記開閉扉が両開き構造に適用された場合、第１の開閉扉の第２の開閉扉と当接する面には第７の気密用シーリングが取り付けられ、第２の開閉扉の第１の開閉扉と当接する面には第８の気密用シーリングが取り付けられ、第７及び第８の気密用シーリングは交互に配列されることを特徴とする。
【発明の効果】
【００２０】
上述した課題を解決するための手段によって、本発明は次のような効果を提供する。
【００２１】
本発明によれば、自動ドアの固定扉をはじめ開閉扉の上端部及び下端部、そして両側端部に気密用フレームを取外し可能に組み立て、自動扉の開閉扉の下端部と接する底面に気密用フレームが気密可能に挿入されてスライディングされる気密構造体を埋設することによって、自動ドアの開閉扉上端部とドアフレーム間の隙間、開閉扉の下端部とレール間の隙間を介して外風及び外部騒音が流入されることを防止することができる。
【００２２】
また、自動ドアが室外と直に接して設けられる場合、室内から室外への排水構造を適用して気密用フレーム及び室内に流入した雨水などを直ぐに外へ排水させることができる。
【００２３】
また、自動ドアの開閉扉の上端部が開閉駆動装置と連結されることによりぶら下がっている状態だが、開閉扉の下端部に取り付けられた気密用フレームが底面に埋設される底埋設体に気密な状態で挿入されて開閉移動されるようにすることで、自動ドアの開閉扉が外風によって揺れたり離脱されたりするなどの現象を容易に防止することができる。
【図面の簡単な説明】
【００２４】
【図１】本発明に係る窓装置が適用される単扉型の自動ドアを示す概略図である。
【図２】開閉扉の閉状態における図１のＡ―Ａ線の断面図である。
【図３】開閉扉の開状態における図１のＡ―Ａ線の断面図である。
【図４】図１のＣ−Ｃ線の断面図である。
【図５】本発明に係る自動ドア及び半自動ドア用窓装置が取り外された状態を示す縦断面図である。
【図６】本発明に係る自動ドア及び半自動ドア用窓装置が取り外された状態を示す横断面図である。
【図７】本発明に係る自動ドア及び半自動ドア用窓装置に傾斜板がさらに取り付けられた様子を示した要部断面図である。
【図８】本発明に係る窓装置が適用される両開き構造の自動ドアを示す概略図である。
【図９】図８のＤ−Ｄ線の断面図である。
【図１０】本発明に係る窓装置を強化ガラスから成るフレームに取り付けられた例を示す断面図である。
【図１１】本発明に係る窓装置を強化ガラスから成るフレームに取り付けられた例を示す断面図である。
【図１２】本発明に係る自動ドア及び半自動ドア用窓装置の構成のうち第２の気密用フレームと第１の気密保持体の底埋設体間の連結構造に対する他の実施形態を示す断面図である。
【図１３】本発明に係る窓装置が強化ガラスから成るフレームに取り付けられる場合、強化扉の気密用フレームと底埋設体間の連結構造に対する他の実施形態を示す断面図である。
【符号の説明】
【００２５】
１００  上部ドアフレーム
１０２  固定扉
１０３  モールディング材
１０４  左側ドアフレーム
１０６  開閉扉
１０６ａ  第１の開閉扉
１０６ｂ  第２の開閉扉
１０８  右側ドアフレーム
１１０  第１の気密用フレーム
１１１  嵌め端
１１２  嵌め溝
１１３  外板
１１４  締結脚
１１５  締結突起
１１６  締結クリップ
１２０  第２の気密用フレーム
１２１  嵌め溝
１２２  締結溝
１２３  突出端
１２４  中空フレーム
１２５  嵌め端
１２６  締結脚
１２７  締結突起
１２８  締結クリップ
１３０  第１の気密保持体
１３１  連結フレーム
１３２  第１の結合溝
１３３  第１の結合突起
１３４  底埋設体
１３５  第２の結合突起
１３６  第２の結合溝
１３７  第１の蓋体
１３８  第１の気密用シーリング
１３９  第２の気密用シーリング
１４０  第２の気密保持体
１４１  第３の結合溝
１４２  第３の結合突起
１４３  壁面埋設体
１４４  第４の気密用シーリング
１４５  第４の結合溝
１４６  第２の蓋体
１４７  第３の気密用シーリング
１４８  第４の気密用シーリング
１５０  第３の気密保持体
１５１  第１の挿入締結端
１５２  第５の気密用シーリング
１５３  第１の蓋型構造物
１５４  第２の挿入締結端
１５５  第６の気密用シーリング
１５６  第２の蓋型構造物
１６０  傾斜板
１６２  排水孔
１６７  第７の気密用シーリング
１６８  第８の気密用シーリング
１７０  連結ロッド
１７２  クリップ端
１７４  スライディング端
２００  開閉駆動手段
３００  強化ガラス
３０２  気密用フレーム
３０４  底埋設体
３０６  係止溝
３１０  連結体
３１２   係止爪
３１４  スライディング端
３２０  折曲端
３２２  第９の気密用シーリング
３２４  第１０の気密用シーリング
【発明を実施するための最良の形態】
【００２６】
以下、本発明の好ましい実施形態を図面に沿って詳細に説明する。
【００２７】
図１ないし図６は、本発明に係る窓装置の一実施形態であって、単扉形態の自動ドアに適用される窓装置を示す。
【００２８】
本発明に係る窓装置は、自動ドアまたは半自動ドアの四方フレーム及びドアフレームに気密構造を加えて、自動ドア及び騒音などを容易に遮断できるところに本発明の特徴がある。
【００２９】
このため、上部ドアフレーム１００と接する自動ドアの固定扉１０２の上端部と、左側ドアフレーム１０４と接する固定扉１０２の一側端部には同一な構造で作製された第１の気密用フレーム１１０が取外可能に組み立てられる。
【００３０】
前記第１の気密用フレーム１１０は、自動ドアの固定扉１０２の上端部に取り付けられて上部ドアフレーム１００と密着される部分になり、また固定扉１０２の一側端部に取り付けられて左側ドアフレーム１０４と密着される部分になる。
【００３１】
より詳しくは、前記第１の気密用フレーム１１０は、一側下端部に固定扉１０２の一側モールディング材１０３に嵌められる嵌め端１１１が一体に突出形成され、他側内面には嵌め溝１１２が形成された外板１１３を有し、また一端部に外板１１３の嵌め溝１１２に嵌められる締結脚１１４が形成され、他端部には固定扉１０２の他側モールディング材１０３に嵌められる締結突起１１５が形成された締結クリップ１１６を有する。
【００３２】
このとき、前記第１の気密用フレーム１１０の外板１１３の外面が上部ドアフレーム１００または左側ドアフレーム１０４と密着される部分になり、外板１１３の嵌め端１１１が固定扉１０２の一側モールディング材１０３に嵌められて外板１１３の固定が行われ、また、締結クリップ１１６の締結突起１１５が固定扉１０２の他側モールディング材１０３に嵌められると同時に締結クリップ１１６の締結脚１１４を外板１１３の嵌め溝１１２に嵌められるようにすることで、固定扉１０２に対する外板１１３及び締結クリップ１１６を有する第１の気密用フレーム１１０の組立が完了する。
【００３３】
ここで、前記固定扉１０２の下端部及び他側端部をはじめ、開閉駆動手段２００と連結される自動ドアの開閉扉１０６の上端部、開閉扉１０６の下端部及び両側端部にも同一な構造で作製された第２の気密用フレーム１２０が取外可能に組み立てられる。
【００３４】
前記第２の気密用フレーム１２０は、四角断面状の中空構造で作製されたものであって、一端部においてその一方に固定扉１０２または開閉扉１０６の一側モールディング材１０３に嵌められる嵌め端１２５が一体に形成され、他方には嵌め溝１２１が形成され、他端部には締結溝１２２を有する突出端１２３が一体に形成された中空フレーム１２４を有し、また一端部に中空フレーム１２４の嵌め溝１２１に嵌められる締結脚１２６が形成され、他端部には固定扉１０２の他側モールディング材１０３に嵌められる締結突起１２７が形成された締結クリップ１２８を有する。
【００３５】
この時、前記第２の気密用フレーム１２０の嵌め端１２５を固定扉１０２または開閉扉１０６の一側モールディング材１０３に嵌められるようにし、前記締結クリップ１２８の締結脚１２６を中空フレーム１２４の嵌め溝１２１に嵌められるようにすると同時に締結突起１２７部分を固定扉１０２または開閉扉１２８の他側モールディング材１０３に嵌められるようにすることで、中空フレーム１２４と締結クリップ１２８を有する第２の気密用フレーム１２０が固定扉１０２または開閉扉１０６に組み立てられる。
【００３６】
一方、前記上部ドアフレーム１００には、開閉扉１０６の上端部に取り付けられた第２の気密用フレーム１２０の突出端１２３が嵌められるように垂直に折り曲げられた形態の折曲端３２０が一体に形成され、上部ドアフレームの内壁と折曲端３２０の内面にはそれぞれ第９の気密用シーリング３２２と第１０の気密用シーリング３２４が取り付けられる。
【００３７】
ここに、前記開閉扉１０６のスライディング開閉時、第２の気密用フレーム１２０の突出端１２３が上部ドアフレーム１００の内壁と折曲端３２０の内面にそれぞれ取り付けられた第９の気密用シーリング３２２と第１０の気密用シーリング３２４との間に挿入されて外風及び騒音を遮断することができる。
【００３８】
本発明によれば、前記固定扉１０２及び開閉扉１０６に組み立てられた第１及び第２の気密用フレーム１１０、１１２は、第１ないし第３の気密保持体１３０、１４０、１５０とともに外風及び騒音を遮断する役割をする。
【００３９】
前記第１の気密保持体１３０は、開閉扉１０６の下端部に取り付けられた第２の気密用フレーム１２０の下端部が開閉方向に沿ってスライディング可能に挿入されるよう第２の気密用フレーム１２０の下端部と相対する底面に埋設または非埋設される方式で行われる。
【００４０】
つまり、前記第１の気密保持体１３０の構成を見てみると、開閉扉１０６の下端部に取り付けられた第２の気密用フレーム１２０の突出端１２３内に嵌められる連結フレーム１３１と、両側内面に第１の結合溝１３２が形成され、底面の中央に第１の結合突起１３３が一体に形成された構造の第２の気密用フレーム１２０の下端部と相対する底面に埋設されたり底面の上に固設されたりする底埋設体１３４を有し、また底面に底埋設体１３４の第１の結合突起１３３内に嵌合される第２の結合突起１３５が一体に突出形成され、両側外面には第２の結合溝１３６が形成された第１の蓋体１３７をさらに有し、特に前記底埋設体１３４の第１の結合溝１３２と前記第１の蓋体１３７の第２の結合溝１３６にそれぞれ嵌められて連結フレーム１３１の両面に密着される第１及び第２の気密用シーリング１３８、１３９を有する。
【００４１】
したがって、開閉扉１０６の下端部に取り付けられた第２の気密用フレーム１２０の突出端１２３内に嵌められた連結フレーム１３１を、第１の蓋体１３７が組み立てられた底埋設体１３４に挿入させるが、底埋設体１３４の第１の結合溝１３２と第１の蓋体１３７の第２の結合溝１３６にそれぞれ嵌められた第１及び第２の気密用シーリング１３８、１３９間の隙間に連結フレーム１３１の下端部を挿入することによって、連結フレーム１３１の両面に第１及び第２の気密用シーリング１３８、１３９が密着される状態になる。
【００４２】
これにより、前記開閉扉１０６が左右にスライディングされ開閉される時、前述したように開閉扉１０６の下端部に取り付けられた第２の気密用フレーム１２０に嵌められた連結フレーム１３１が第１及び第２の気密用シーリング１３８、１３９間の隙間に沿って左右にスライディングされることによって、開閉扉１０６の開閉移送が行われ、この時、連結フレーム１３１の両面に第１及び第２の気密用シーリング１３８、１３９が密着される状態であるので、外部から流入される外風や騒音を容易に遮断することができ、開閉扉１０６の離脱現象を防止することができる。
【００４３】
一方、本発明に係る自動ドア及び半自動ドア用窓装置の構成のうち第２の気密用フレームと第１の気密保持体の底埋設体間の連結構造に対する他の実施形態として、図１２に示したように上端部には第２の気密用フレーム１２０の締結溝１２２に挿入締結されるクリップ端１７２が形成され、下端部は第１及び第２の気密用シーリング１３８、１３９間の隙間に挿入されて開閉扉１０６の開閉移動時にスライディング移送されるようスライディング端１７４で形成された垂直タイプの連結ロッド１７０を利用することができる。
【００４４】
前記第２の気密保持体１４０は、開閉扉１０６の閉鎖面である他側端部が挿入されるように、開閉扉１０６の他側端部と相対する右側ドアフレーム１０８内に取り付けられる。
【００４５】
つまり、前記第２の気密保持体１４０は、両方の壁面に第３の結合溝１４１が形成され、底面に第３の結合突起１４２が突出形成された構造であって、右側ドアフレーム１０８の内壁面に一体に形成される壁面埋設体１４３を有し、また底面に壁面埋設体１４３の第３の結合突起１４２内に嵌合される第４の結合突起１４４が一体に突出形成され、両側外面には第４の結合溝１４５が形成された第２の蓋体１４６を有し、特に前記壁面埋設体１４３の第３の結合溝１４１と前記第２の蓋体１４６の第４の結合溝１４５にそれぞれ嵌められ、前記開閉扉１０６の閉鎖面である他側端部に取り付けられた第２の気密用フレーム１２０の突出端１２３の両面に密着される第３及び第４の気密用シーリング１４７、１４８を有する。
【００４６】
ここに、前記第２の気密保持体１４０の壁面埋設体１４３に第２の蓋体１４６が締結された状態で、開閉扉１０６を閉めると、開閉扉１０６の閉鎖面である他側端部に取り付けられた第２の気密用フレーム１２０の突出端１２３が第３及び第４の気密用シーリング１４７、１４８間に挿入される。
【００４７】
したがって、前記開閉扉１０６が閉まる時、第２の気密用フレーム１２０の突出端１２３の両面に第３及び第４の気密用シーリング１４７、１４８が密着された状態になるので、開閉扉１０６と右側ドアフレーム１０８間の隙間を介して外風及び騒音が流入されることを容易に遮断することができる。
【００４８】
前記第３の気密保持体１５０は、固定扉１０２と開閉扉１０６との間の隙間を介して流入される外風及び騒音を遮断するものであって、固定扉１０２の他側端部に組み立てられた第２の気密用フレーム１２０と開閉扉１０６の一側端部に組み立てられた第２の気密用フレーム１２０に仕上げ組み立てられる。
【００４９】
より詳しくは、前記第３の気密保持体１５０は、開閉扉１０６の一端部に取り付けられた第２の気密用フレームの突出端１２３の締結溝１２２に挿入締結されるよう内方面に第１の挿入締結端１５１が一体に形成された蓋型構造に備えられ、固定扉１０２に向かう面には固定扉１０２に取り付けられた第２の気密用フレーム１２０に密着される第５の気密用シーリング１５２が取り付けられた第１の蓋型構造物１５３を有し、また前記固定扉１０２の他端部に取り付けられた第２の気密用フレーム１２０の突出端１２３の締結溝に挿入締結されるよう第２の挿入締結端１５４が一体に形成され、開閉扉１０６に向かう面には開閉扉１０６に取り付けられた第２の気密用フレーム１２０に密着される第６の気密用シーリング１５５が取り付けられる第２の蓋型構造物１５６を有する。
【００５０】
したがって、固定扉１０２と開閉扉１０６との間の隙間を介して流入される外風または騒音が固定扉１０２に取り付けられた第２の気密用フレーム１２０に密着される第５の気密用シーリング１５２及び開閉扉１０６に取り付けられた第２の気密用フレーム１２０に密着される第６の気密用シーリング１５５によって容易に遮断することができる。
【００５１】
一方、本発明の好ましい実施形態として、図７に示すように、前記底埋設体１３４が底面に完全に埋設されず、底面の上に設けられる場合、底埋設体１３４の外壁面に内部から外部へ傾斜された中空状の傾斜板１６０が一体に組み立てられることによって、人の出入り時に傾斜板１６０の案内によって底面の上に設けられた底埋設体１３４に足元が引っかかって転倒するなどの現象を容易に防止することができる。
【００５２】
なお、前記底埋設体１３４の第１の結合突起１３３及び外壁面をはじめ、傾斜板１６０に排水孔１６２を形成して、底埋設体１３４の内部へ流入される雨水などを外へ排水させることができる。
【００５３】
本発明の好ましい他の実施形態として、図８及び図９に示すように、前記開閉扉１０６が両開き構造に適用された場合、即ち、第１の開閉扉１０６ａの第２の開閉扉１０６ｂが互いに反対方向にスライディングされ開閉される両開き構造に適用された場合、第１の開閉扉１０６ａの第２の開閉扉１０６ｂと当接する面に第７の気密用シーリング１６７が取り付けられると同時に第２の開閉扉１０６ｂの第１の開閉扉１０６ａと当接する面には第８の気密用シーリング１６８が取り付けられるようにし、第７及び第８の気密用シーリング１６７、１６８が交互に配列されるようにすることで、第１の開閉扉１０６ａと第２の開閉扉１０６ｂが当接して閉められた状態で第１の開閉扉１０６ａと第２の開閉扉１０６ｂとの間の隙間に外風または騒音が流入されることを第７及び第８の気密用シーリング１６７、１６８で遮断するようになる。
【００５４】
一方、本発明の他の実施形態として、図１０及び図１１に示すように自動ドアに使用される強化ガラス３００にも前述したような構造の気密用フレーム３０２を取り付け、底面に気密用フレーム３０２が挿入される底埋設体３０４を設け、図１３に示したように気密用フレーム３０２と底埋設体３０４間を連結体３１０で連結して外風及び騒音を遮断することができる。
【００５５】
即ち、図１３に示したように連結体３１０は上端部に気密用フレーム３０２の底部に形成された係止溝３０６に結合される係止爪３１２が形成され、下端部には底埋設体３０４のシーリング内に嵌められてスライディングされるスライディング端３１４が形成された構造に備えられ、強化扉の気密用フレームと底埋設体間を連結することによって、外風及び騒音を遮断することができる。
【図４】
0005787454.tif 000002
【図６】
0005787454.tif 000003
【図７】
0005787454.tif 000004
【図８】
0005787454.tif 000005
【図９】
0005787454.tif 000006
【図１０】
0005787454.tif 000007
【図１１】
0005787454.tif 000008
【図１２】
0005787454.tif 000009
【図１３】
0005787454.tif 000010
【図１】
0005787454.tif 000011
【図２】
0005787454.tif 000012
【図３】
0005787454.tif 000013
【図５】
0005787454.tif 000014